(57)【要約】【課題】開き戸を室内側からロックすることができるようにするための機構として、後付けで設置しても、取付跡が残ることなく撤去することができ、原状回復義務のある貸借物件等においても適用することができる、内開き式の開き戸を室内側からロックするための補助錠を提供すること。【解決手段】内開き式の開き戸Ｄを室内側からロックするための補助錠であって、戸枠Ｆにねじ３によって固定される、室内方向に突出するロック部材装着部１１を形成したストライクプレート１と、このストライクプレート１のロック部材装着部１１に取り付けることで、開き戸Ｄが開かれることを阻止するロック部材２とからなる。【選択図】図１
0003230168.tif 000002
【実用新案登録請求の範囲】
【請求項１】
内開き式の開き戸を室内側からロックするための補助錠であって、戸枠にねじによって固定される、室内方向に突出するロック部材装着部を形成したストライクプレートと、該ストライクプレートのロック部材装着部に取り付けることで、開き戸が開かれることを阻止するロック部材とからなることを特徴とする補助錠。
【請求項２】
前記ストライクプレートに、長孔状のねじ孔を形成してなることを特徴とする請求項１に記載の補助錠。
【請求項３】
前記ストライクプレートを、既設のストライクプレートに重ねて固定されることを特徴とする請求項１又は２に記載の補助錠。
【請求項４】
前記ロック部材を、ストライクプレートの背面側に、磁石を介して、仮保持するようにしたことを特徴とする請求項１、２又は３に記載の補助錠。
【考案の詳細な説明】
【技術分野】
【０００１】
本考案は、例えば、住宅やマンション等の開き戸（扉）に後付けの補助錠として使用する補助錠に関し、特に、内開き式の開き戸を室内側からロックするための補助錠に関するものである。
【背景技術】
【０００２】
近年、防犯対策として、住宅やマンション等の開き戸に後付けの補助錠が設置される機会が多くなっている。
この補助錠としては、開き戸の戸枠側に、開き戸の開き方向に突出する施錠部材保持片を取り付け、この施錠部材保持片に施錠部材を装着し、この施錠部材を開き戸に外側から当接させることにより施錠を行う補助錠が知られている（例えば、特許文献１参照）。
【０００３】
ところで、特許文献１に記載の補助錠は、施錠部材を用いる外開き式の開き戸用のもので、住宅やマンションの建造物内の内開き式の開き戸に使用するには適さないものであった。
【０００４】
その一方で、住宅やマンションの建造物内の内開き式の開き戸には、トイレ等を除くと、通常、開き戸を室内側からロックするための機構が設けられていない。
【０００５】
そして、近年、住宅やマンションの使用形態の多様化により、プライバシーの保護等のため、開き戸を室内側からロックすることができるようにするための機構の要請があり、特に、この機構を、後付けで設置することが困難な原状回復義務のある貸借物件等においても適用できるようにすることが要請されていた。
【先行技術文献】
【特許文献】
【０００６】
【特許文献１】特開平９−１００６６５号公報
【考案の概要】
【考案が解決しようとする課題】
【０００７】
本考案は、上記の要請に鑑み、開き戸を室内側からロックすることができるようにするための機構として、後付けで設置しても、取付跡が残ることなく撤去することができ、原状回復義務のある貸借物件等においても適用することができる、内開き式の開き戸を室内側からロックするための補助錠を提供することを目的とする。
【課題を解決するための手段】
【０００８】
上記目的を達成するため、本考案の補助錠は、内開き式の開き戸を室内側からロックするための補助錠であって、戸枠にねじによって固定される、室内方向に突出するロック部材装着部を形成したストライクプレートと、該ストライクプレートのロック部材装着部に取り付けることで、開き戸が開かれることを阻止するロック部材とからなることを特徴とする。
【０００９】
この場合において、前記ストライクプレートに、長孔状のねじ孔を形成してなるようにすることができる。
【００１０】
また、前記ストライクプレートが、既設のストライクプレートに重ねて固定されるようにすることができる。
【００１１】
また、前記ロック部材を、ストライクプレートの背面側に、磁石を介して、仮保持するようにすることができる。
【考案の効果】
【００１２】
本考案の補助錠によれば、戸枠にねじによって固定される、室内方向に突出するロック部材装着部を形成したストライクプレートと、該ストライクプレートのロック部材装着部に取り付けることで、開き戸が開かれることを阻止するロック部材とからなることから、後付けで設置しても、取付跡が残ることなく撤去することができ、原状回復義務のある貸借物件等においても適用することができる。
【００１３】
また、前記ストライクプレートに、長孔状のねじ孔を形成してなるようにすることにより、既設の種々のストライクプレートに対応することができる。
【００１４】
また、前記ストライクプレートを、既設のストライクプレートに重ねて固定されるようにすることにより、既設のストライクプレートを紛失することを防止することができる。
【００１５】
また、前記ロック部材を、ストライクプレートの背面側に、磁石を介して、仮保持するようにすることにより、非装着時のロック部材の保管場所を確保し、ロック部材の紛失を防止することができる。
【図面の簡単な説明】
【００１６】
【図１】本考案の補助錠の一実施例を示し、（ａ）はロック時の平面図、（ｂ）は非ロック時の平面図である。
【図２】同補助錠を示し、（ａ）はロック時の斜視図、（ｂ）は非ロック時の斜視図である。
【図３】同補助錠を示し、（ａ）はロック時の裏板を除いた背面図、（ｂ）は非ロック時の裏板を除いた背面図である。
【図４】同補助錠のストライクプレートを示し、（ａ）は正面図、（ｂ）は右側面図、（ｃ）は底面図、（ｄ）は斜視図である。
【図５】同補助錠のロック部材を示し、（ａ）は正面図、（ｂ）は底面図、（ｃ）は背面図、（ｄ）は左側面図、（ｅ）は右側面図、（ｆ）は斜視図である。
【図６】同補助錠のストライクプレートを既設のストライクプレートに重ねて固定した使用例を示し、（ａ）はロック時の平面断面図、（ｂ）は非ロック時の平断面図である。
【考案を実施するための形態】
【００１７】
以下、本考案の補助錠の実施の形態を図面に基づいて説明する。
【００１８】
図１〜図５に、本考案の補助錠の一実施例を示す。
この補助錠は、住宅やマンションの建造物内の内開き式の開き戸Ｄを室内側からロックするための補助錠であって、戸枠Ｆにねじ３によって固定される、室内方向に突出するロック部材装着部１１を形成したストライクプレート１と、このストライクプレート１のロック部材装着部１１に取り付けることで、開き戸Ｄが開かれることを阻止するロック部材２とからなる。
【００１９】
ストライクプレート１は、図４に示すように、ロック部材装着部１１のほか、ラッチボルトを受け入れる角孔１２及び長孔状のねじ孔１３を形成し、さらに、ロック部材装着部１１には、係止部１１ａを形成するようにしている。
ここで、ねじ孔１３を、長孔状に形成することにより、既設の種々のストライクプレート４に対応すること、具体的には、既設のストライクプレート４を取り外した上で、戸枠Ｆに残るねじ穴を使用して、ストライクプレート１をねじ３によって固定することができ。
これにより、後付けで設置しても、取付跡が残ることなく撤去することができ、容易に原状回復することができる。
【００２０】
そして、ストライクプレート１は、既設のストライクプレート４を取り外した上で、戸枠Ｆにねじ３によって固定するほか、図６に示すように、既設のストライクプレート４の上から、ストライクプレート４に重ねて固定することもできる。
戸枠Ｆにストライクプレート１を固定するために用いるねじ３は、頭部の露出高さの低い平頭ねじを使用することが望ましい。
これにより、取り外した既設のストライクプレート４を紛失することを防止することができる。
【００２１】
ロック部材２は、図５に示すように、ストライクプレート１のロック部材装着部１１に取り付けることで、ロック部材２に開き戸Ｄが当接して、開き戸Ｄが開かれることを阻止するもので、ストライクプレート１のロック部材装着部１１に装着する溝形状の装着部２１のほか、ロック部材２をストライクプレート１のロック部材装着部１１から取り外すときに使用する回転操作部２２を形成するようにしている。
ここで、回転操作部２２は、図３に示すように、回転操作部２２を回転操作することで、回転操作部２２に設けた偏心ピン２２ａによって、ばね２１ｃの付勢力に抗して係止爪２１ａを形成したカム機構片２１ｂを揺動させ、ストライクプレート１のロック部材装着部１１に形成された係止部１１ａに対するロック部材２の装着部２１の溝内に配設された係止爪２１ａの係止状態を解除して、ロック部材２をストライクプレート１のロック部材装着部１１から取り外すことができるように構成されている。
【００２２】
ストライクプレート１及びロック部材２は、磁性体から構成されているため、ストライクプレート１のロック部材装着部１１から取り外したロック部材２は、例えば、ボタン型の磁石やマグネットシート等の磁石（図示省略）を用いて、ストライクプレート１の背面側に、仮保持することができる。
これにより、非装着時のロック部材２の保管場所を確保し、ロック部材２の紛失を防止することができる。
【００２３】
以上、本考案の補助錠について、その実施例に基づいて説明したが、本考案は上記実施例に記載した構成に限定されるものではなく、その趣旨を逸脱しない範囲において適宜その構成を変更することができる。
【産業上の利用可能性】
【００２４】
本考案の補助錠は、後付けで設置しても、取付跡が残ることなく撤去することができ、原状回復義務のある貸借物件等においても適用することができることから、開き戸を室内側からロックすることができるようにするための機構として、既設、新設を問わず、広く用いることができる。
【符号の説明】
【００２５】
１  ストライクプレート
１１  ロック部材装着部
１１ａ  係止部
１２  角孔
１３  ねじ孔
２  ロック部材
２１  装着部
２１ａ  係止爪
２１ｂ  カム機構片
２１ｃ  ばね
２２  回転操作部
２２ａ  偏心ピン
３  ねじ（平頭ねじ）
４  ストライクプレート（既設）
Ｄ  開き戸（扉）
Ｆ  戸枠
【図１】
0003230168.tif 000003
【図２】
0003230168.tif 000004
【図３】
0003230168.tif 000005
【図４】
0003230168.tif 000006
【図５】
0003230168.tif 000007
【図６】
0003230168.tif 000008